(57)【要約】【課題】紙基材を含む胴部材を使用した紙製容器でありながら、容器外部から内部の状態を観察することのできる紙製容器を提供すること。【解決手段】胴部材１の両端１Ｃ，１Ｃの端面同士を間隙ｄを介して互いに突き合せ、この間隙を挟む前記両端を橋渡しして透明なテープ１３を接着することにより、両端同士を接合する。間隙部分の透明テープを透して、容器外部から内部の状態を観察することができる。また、併せて、底部材や蓋材の密封も良好にできる。【選択図】図２
2015166254.tif 000002
【特許請求の範囲】
【請求項１】
紙基材を含む胴部材を使用し、この胴部材を捲回してその両端同士を接合した筒状胴部を有する紙製容器において、
前記両端の端面同士が間隙を介して互いに突き合わされており、
この間隙を挟む前記両端を橋渡しする透明なテープを接着することにより、両端同士を接合したことを特徴とする紙製容器。
【請求項２】
容器内外面のいずれか一方に前記テープが接着されていることを特徴とする請求項１に記載の紙製容器。
【請求項３】
容器内外面の両方に前記テープが接着されていることを特徴とする請求項１に記載の紙製容器。
【請求項４】
前記テープの一部に印刷柄が設けられていることを特徴とする請求項１〜３のいずれかに記載の紙製容器。
【請求項５】
前記胴部材が、紙基材の内面に防水性被膜を積層した積層体から成ることを特徴とする請求項１〜４のいずれかに記載の紙製容器。
【請求項６】
前記防水性被膜がガスバリア性を有することを特徴とする請求項５に記載の紙製容器。
【請求項７】
前記テープが防水性を有することを特徴とする請求項１〜６のいずれかに記載の紙製容器。
【請求項８】
前記テープがガスバリア性を有することを特徴とする請求項７に記載の紙製容器。
【発明の詳細な説明】
【技術分野】
【０００１】
本発明は、紙基材を含む胴部材を使用し、この胴部材を捲回してその両端同士を接合した筒状胴部を有する紙製容器に関する。
【背景技術】
【０００２】
紙基材の両面に防水性被膜を有する積層体を胴部材に使用した紙製容器は周知である。例えば、図５は、このような胴部材を使用した円筒状容器２の例である。
【０００３】
この円筒状容器２は、紙基材の両面に防水性被膜を積層した積層体から成る胴部材を使用し、この胴部材を丸めてその端部同士を接合することにより、円筒状の胴部２１を形成している。図５において、符号２１ａはこの接合部分を示している。そして、その底部に円盤状の底部材２２を挿入し、周囲の縁部で胴部２１と底部材２２とを巻き締めて密封している。また、前記円筒状胴部２１の上部開口部に蓋材２３を挿入し、その縁部で胴部２１と蓋材２３とを巻き締めて液体内容物を収容している。蓋材２３には開口部が設けられており、この開口部は、タブ２３１が剥離可能にシールされている。なお、図５において、符号２ａは胴部２１と底部材２２との巻き締め部位、符号２ｂは胴部２１と蓋材２３との巻き締め部位を示している。
【０００４】
また、図６は、紙基材の両面に防水性被膜を有する積層体を使用した紙製容器の別の例を示すもので、カップ状紙製容器３を示している。このカップ状容器３は、前記積層体を丸めてその端部同士を接合することにより、円錐状胴部３１を形成している。図６において、符号３１ａはこの接合部分を示している。そして、その底部に円盤状の底部材３２を挿入し、周囲の縁部で胴部３１と底部材３２とを巻き締めて密封している。また、前記円錐状胴部３１の上部開口部の周縁を容器外側に向かってカールさせることによりフランジを形成し、このフランジに蓋材３３を剥離可能にヒートシールして液体内容物を収容している。図６において、符号３ａは胴部３１と底部材３２との巻き締め部位、符号３ｂは胴部３１をカールさせて構成したフランジを示している。
【０００５】
また、  図７は、紙基材の両面に防水性被膜を有する積層体から成る胴部材を使用した紙製容器の別の例を示すもので、チューブ状紙製容器４を示している。このチューブ状容器は、前記胴部材を丸めてその端部同士を接合することにより、円筒状胴部４１を形成している。図７において、符号４１ａはこの接合部分を示している。そして、その上部にプラスチック成形品から成る肩パーツ４３を装着し、開口した底部４２から内容物を充填した後、この底部４２を封鎖して使用する。
【０００６】
以上の説明から分かるように、これら円筒状紙製容器２、カップ状紙製容器３あるいはチューブ状紙製容器４は、その胴部は前記胴部材を捲回してその両端同士を接合した構造を有している。このような積層体の接合構造としては、種々の構造が知られている。
【０００７】
もっとも簡単な接合構造は、図８に示すように、容器内面側の防水性被膜（内面側被膜）１２ａと外面側の防水性被膜（外面側被膜）１２ｂとを重ねて互いにヒートシールした構造である。しかし、このような単純な構造では、容器内面側に位置する端部１Ａにおいて、紙基材１１の端面が内容物に露出することになる。そして、内容物が液体の場合には、露出した紙基材１１端面に浸透する。
【０００８】
そこで、特許文献１には、紙基材１１の端面が内容物に露出することのない接合構造が記載されている。このような接合構造も多岐に渡るが、例えば、内面側被膜１２ａと外面
側被膜１２ｂとを重ねて互いにヒートシールした後、内面側の端部１Ａの端面又は内面側端部１Ａと外面側端部１Ｂの両方を防水性テープ１３で覆った接合構造である。図９はこのような接合構造を示すもので、図９では、内面側端部１Ａの露出端面と外面側端部１Ｂの露出端面の両方を防水性テープ１３で覆っている。
【０００９】
また、胴部材の露出端面を防水性テープ１３で覆った後、両端部１Ａ，１Ｂを互いにヒートシールして構成した接合構造も知られている。例えば、容器内面側に位置する端部１Ａの端面を防水性テープ１３で覆った後、この防水性テープ１３と外面側端部１Ｂとをヒートシールして構成した接合構造である。また、内面側端部１Ａの露出端面と外面側端部１Ｂの露出端面の両方を防水性テープ１３，１３で覆った後、これら防水性テープ１３，１３同士をヒートシールして構成した接合構造も知られている。図１０はこのような接合構造の要部断面図である。
【００１０】
また、胴部材の端面１Ｃ，１Ｃ同士を突き合わせ、この両端面１Ｃ，１Ｃに跨るように、防水性テープ１３を接着して構成した接合構造も知られている。防水性テープ１３は容器内面側から接着されるが、図１１に示すように、容器の内外両面に防水性テープ１３，１３を接着して接合する場合もある。
【００１１】
また、前記特許文献１には、スカイブ（掘削加工）を利用した接合構造も記載されている。このスカイブ（掘削加工）を容器内面側の端部１Ａに適用することもできるが、内面側端部１Ａと外面側端部１Ｂの両方に適用した場合を例として、図１２を参照して説明する。
【００１２】
すなわち、この接合構造を形成するためには、まず、内面側端部１Ａを内側から掘削して、胴部材の厚みを略半分にする。図１２（ａ）において、符号１ｘはこの掘削部分を示している。一方、外面側端部１Ｂを外側から掘削して胴部材の厚みを略半分にする。図１２（ａ）において、符号１ｙはこの掘削部分を示している。
【００１３】
次に、図１２（ｂ）に示すように、内面側端部１Ａの掘削部分１ｘをその略中央から折り返して接着する。このとき、掘削されて残った厚みは胴部材の略半分の厚さであるから、折り返されて接着された端部１Ａは胴部材の厚みにほぼ等しい。また、外面側端部１Ｂの掘削部分１ｙをその略中央から折り返して接着する。この場合も、折り返されて接着された端部１Ｂは胴部材の厚みにほぼ等しい。
【００１４】
そして、この胴部材を捲回してその両端同士を接合する（図１２（ｃ）参照）。この接合構造では、内面側端部１Ａの紙基材１１の端面は、折り返された内面側防水性被膜１２ａによって覆われているから、紙基材１１の端面が容器内部に露出することがない。
【先行技術文献】
【特許文献】
【００１５】
【特許文献１】特開２００６−２７３３９６号公報
【発明の概要】
【発明が解決しようとする課題】
【００１６】
ところで、このような紙製容器は、その接合部分を含めて胴部の全周を紙基材を含む胴部材で構成している。このため、内容物の量や状態を外部から観察することができなかった。
【００１７】
そこで、本発明は、紙基材を含む胴部材を使用した紙製容器でありながら、容器外部から内部の状態を観察することのできる紙製容器を提供することを目的とする。
【課題を解決するための手段】
【００１８】
すなわち、請求項１に記載の発明は、紙基材を含む胴部材を使用し、この胴部材を捲回してその両端同士を接合した筒状胴部を有する紙製容器において、
前記両端の端面同士が間隙を介して互いに突き合わされており、
この間隙を挟む前記両端を橋渡しする透明なテープを接着することにより、両端同士を接合したことを特徴とする紙製容器である。
【００１９】
次に、請求項２に記載の発明は、容器内外面のいずれか一方に前記テープが接着されていることを特徴とする請求項１に記載の紙製容器である。
【００２０】
また、請求項３に記載の発明は、容器内外面の両方に前記テープが接着されていることを特徴とする請求項１に記載の紙製容器である。
【００２１】
また、請求項４に記載の発明は、前記テープの一部に印刷柄が設けられていることを特徴とする請求項１〜３のいずれかに記載の紙製容器である。
【００２２】
また、請求項５に記載の発明は、前記胴部材が、紙基材の内面に防水性被膜を積層した積層体から成ることを特徴とする請求項１〜４のいずれかに記載の紙製容器である。
【００２３】
また、請求項６に記載の発明は、前記防水性被膜がガスバリア性を有することを特徴とする請求項５に記載の紙製容器である。
【００２４】
また、請求項７に記載の発明は、前記テープが防水性を有することを特徴とする請求項１〜６のいずれかに記載の紙製容器である。
【００２５】
また、請求項８に記載の発明は、前記テープがガスバリア性を有することを特徴とする請求項７に記載の紙製容器である。
【発明の効果】
【００２６】
本発明においては、胴部材の端面同士が間隙を介して互いに突き合わされており、この間隙を挟む前記両端を透明なテープで橋渡しているから、この間隙には紙基材が存在せず、前記透明テープが存在するだけである。このため、この間隙部分の透明テープを透して、容器外部から内部の状態を観察することができる。しかも、その透明部分は接合部分において底部から上部に至る全長に渡っているから、紙製容器の底部から上部に至るまで、その全体を観察可能である。
【図面の簡単な説明】
【００２７】
【図１】本発明の実施形態に係る胴部材の断面図である。
【図２】本発明の実施形態に係る紙製容器の要部断面図である。
【図３】本発明の他の実施形態に係る紙製容器の要部断面図である。
【図４】本発明の他の実施形態を示し、図４（ａ）は胴部材の断面図、図４（ｂ）は透明なテープの断面図、図４（ｃ）は紙製容器の要部断面図である。
【図５】円筒状紙製容器を示し、図５（ａ）はその斜視図、図５（ｂ）は縦断面図である。
【図６】カップ状紙製容器を示し、図６（ａ）はその斜視図、図６（ｂ）は縦断面図である。
【図７】チューブ状紙製容器を示し、図７（ａ）はその平面図、図７（ｂ）は縦断面図である。
【図８】従来の接合構造の例を示す断面図である。
【図９】従来の接合構造の例を示す断面図である。
【図１０】従来の接合構造の例を示す断面図である。
【図１１】従来の接合構造の例を示す断面図である。
【図１２】従来の接合構造の例を示すもので、図１２（ａ）は積層体の両端部の一部が除去された状態を示す断面図、図１２（ｂ）は両端部を突き合わせた状態を示す断面図、図１２（ｃ）は接合構造を示す断面図である。
【発明を実施するための形態】
【００２８】
次に、本発明に係る胴部材として、紙基材の両面に防水性被膜を積層した積層体を使用した場合を例として、その製造工程を追って本発明を説明する。
【００２９】
図面の図１は、本発明に係る胴部材１の例を示す断面図である。すなわち、この胴部材は、紙基材１１の両面に防水性の被膜１２ａ，１２ｂを積層したものである。なお、図１では、容器の内面側となる防水性被膜を符号１２ａで示し、外面側となる防水性被膜を１２ｂで示している。
【００３０】
そして、この胴部材１を捲回してその両端１Ｃ，１Ｃの端面同士が突き合わせる。このとき、両端１Ｃ，１Ｃの端面同士が間隙ｄを有するように突き合わせる必要がある。間隙ｄの長さはわずかでよい。間隙ｄの長さがわずかであっても、後述するように、この間隙ｄ部分から容器内部を観察することが可能である。また、間隙ｄの長さが短い場合、外部の紫外線や可視光線の透過量が少なくなり、内容物の劣化を抑制することが可能である。
【００３１】
そして、この間隙ｄを跨いでその両端１Ｃ，１Ｃを橋渡しするように、透明なテープ１３を両端１Ｃ，１Ｃに接着する。透明テープ１３は、容器内外面のいずれか一方に接着しても良いし（図２参照）、内外面の両方に接着しても良い（図２参照）。望ましくは、容器内面又は内外面の両方である。なお、図３において、１３ａは容器内面側に接着された透明テープ、１３ｂは容器外面側に接着された透明テープを示している。
【００３２】
なお、透明テープ１３には、その一部に印刷柄が設けられていてもよい。例えば、内容物の量を計る目盛である。
【００３３】
こうして得られた筒状胴部材は、例えば、図５の円筒状紙製容器２、図６のカップ状紙製容器３、あるいは図７のチューブ状紙製容器４の胴部２１，３１，４１として使用できる。いずれの場合においても、筒状胴部材の前記接合部分の厚みは筒状胴部材の厚みと薄く、あるいはせいぜい同等の厚みであるため、この接合部分とその周囲との間の段差が少なく、このため、良好に密封することができる。
【００３４】
例えば、この筒状胴部材を図５の円筒状紙製容器の２胴部２１として使用する場合には、底部に円盤状の底部材２２を挿入して巻き締めると共に、上部開口部に蓋材２３を挿入して巻き締めればよい。筒状胴部材の前記接合部分の厚みは筒状胴部材の厚みと薄く、あるいはせいぜい同等の厚みであるため、接合部分とその周囲との間の段差が少なく、このため、底部材２２や蓋材２３と共に巻き締める場合にも、接合部分にはひび割れを生じ難く、良好に密封することができる。もちろん、巻き締め用金型の形状についても、接合部分とその周囲との間の厚み差に基づく補正を必要としない。もちろん、この円筒状紙製容器２は、その胴部３１に、上下方向の全長に渡って、前記間隙ｄに透明テープ１３が配置されているから、この透明テープ１３を透してその内部を観察することができる。そして、透明テープ１３に目盛が印刷されていれば、その内容物の量を定量的に測定することができる。
【００３５】
また、筒状胴部材を図６のカップ状紙製容器３の胴部３１として使用する場合には、そ
の底部に円盤状の底部材３２を挿入して巻き締め、上部開口部の周縁を容器外側に向かってカールさせてフランジ３ｂを形成し、このフランジ３ｂに蓋材３３を剥離可能にヒートシールすればよい。フランジ３ｂと蓋材３３のヒートシールにあたっても、筒状胴部材の接合部分とその周囲との間でフランジ３ｂに段差が生じ難いから、フランジ３ｂと蓋材３３の間に隙間を生じる難く、良好に密封することが可能である。また、このカップ状紙製容器３においても、内部の内容物の量や状態を外部から観察することが可能である。
【００３６】
筒状胴部材を図７のチューブ状紙製容器４の胴部４１として使用する場合には、その上部にプラスチック成形品から成る肩パーツ４３を装着すると共に、底部４２から内容物を充填した後封鎖すればよい。この場合にも、筒状胴部材の接合部分とその周囲との間でフランジ３ｂに段差が生じ難いから、筒状胴部材と肩パーツ４３との間の密着性を向上させることができる。また、内部の内容物の量や状態を外部から観察できることは、このチューブ状紙製容器４でも同様である。
【００３７】
次に、本発明に係る紙基材１１としては任意の紙素材が使用できるが、紙製容器の胴部に使用する場合には、この紙基材１１は、容器の耐屈曲性、剛性、腰、強度などを持たせるものであり、例えば、強サイズ性の晒しの紙素材または未晒しの紙素材、或いは純白ロール紙、クラフト紙、カップ原紙、加工紙などの紙素材などが適している。望ましくは坪量が２００〜５００ｇ／ｍ2程度の範囲の紙素材である。
【００３８】
また、内外面の防水性被膜１２ａ，１２ｂも任意の素材から成るものでよい。また、これら防水性被膜１２ａ，１２ｂは単層から構成されていてもよく、多層構造を有するものであってもよい。また、内外面の防水性被膜１２ａ，１２は互いに異なる素材から構成されるものであってもよい。液体用紙製容器の胴部に使用する場合には、内面側防水性被膜１２ａがガスバリア性を有することが望ましい。ガスバリア性防水性被膜１２ａは、一般に、その層構成中にガスバリア性フィルムを含む多層構造である。
【００３９】
単層の防水性被膜１２ａ，１２ｂとしては、ポリオレフィン系熱可塑性樹脂のフィルムが例示できる。例えば、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（Ｌ−ＬＤＰＥ）、エチレン−α−オレフィン共重合体などポリエチレン系樹脂のフィルムである。また、ホモポリプロピレン樹脂、プロピレン−エチレンランダム共重合体、プロピレン−エチレンブロック共重合体、プロピレン−α−オレフィン共重合体などのポリプロピレン系樹脂のフィルムを使用することもできる。あるいは、これらポリエチレン系樹脂やポリプロピレン系樹脂をグラフト重合などにより酸変性した変性ポリオレフィン樹脂のフィルムを使用することもできる。これら各フィルムは、接着剤を使用して紙基材１１に接着することにより、防水性被膜１２ａ，１２ｂとすることができる。また、溶融したこれら樹脂を紙基材１１上に塗工することにより、防水性被膜１２ａ，１２ｂとすることも可能がある。
【００４０】
また、多層構造を有する防水性被膜１２ａ，１２ｂとしては、前記ポリオレフィン系熱可塑性樹脂を多数層積層したフィルムを例示することができる。ガスバリア性を有する防水性被膜１２ａ，１２ｂは、これらポリオレフィン系熱可塑性樹脂にガスバリア性フィルムを積層した多層構造のフィルムを使用すればよい。
【００４１】
このようなガスバリア性フィルムとしては、例えば、エチレン−ビニルアルコール共重合体フィルム（ＥＶＯＨ）、ポリビニルアルコールフィルム（ＰＶＡ）、２軸延伸ポリエチレンテレフタレートや２軸延伸ナイロンフィルムとエチレン−ビニルアルコール共重合体の積層フィルム、エチレン−酢酸ビニル共重合体（ＥＶＡ）ケン化物などのフィルム、またこれらフィルムの１種乃至それ以上を組み合わせた積層フィルムが挙げられる。
【００４２】
また、ガスバリア性フィルムとして蒸着基材に無機蒸着層を形成したフィルムも使用できる。蒸着基材としては、ポリエチレンテレフタレート（ＰＥＴ）、ポリエチレンナフタレ−ト（ＰＥＮ）、ポリブチレンテレフタレート（ＰＢＴ）などのポリエステル、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）などの無延伸あるいは延伸フィルムが例示できる。また、無機蒸着層としては、酸化珪素、酸化アルミニウム、酸化マグネシウム、酸化カルシウム、酸化カリウム、酸化スズ、酸化ジルコニウム、酸化イットリウムなどが例示できる。これら無機物を蒸着基材に蒸着する方法は周知である。
【００４３】
次に、透明テープ１３としては、防水性を有するものが好適に使用できる。内面側透明テープ１３ａとして防水性を有するテープを使用し、これを内面側防水性被膜１２ａに接着した場合には、この両者によって内容物の透過を防止することができる。そして、このため、内容物が胴部材１の紙基材１１端面に接触して浸透することを防止することが可能である。
【００４４】
防水性透明テープ１３としては、前記防水性被膜１２ａ，１２ｂと同様の素材を使用することができる。例えば、熱可塑性ポリオレフィン樹脂から構成される単層のテープである。また、これら熱可塑性ポリオレフィン樹脂を多数層積層して構成される多層構造のテープである。また、ポリオレフィン系熱可塑性樹脂に透明なガスバリア性フィルムを積層した多層構造のテープを防水性透明テープ１３として使用することもできる。なお、前述のガスバリア性フィルムはいずれも透明である。そして、内面側防水性被膜１２ａと内面側透明テープ１３ａのいずれもがガスバリア性の多層構造を有する場合、容器外部からの酸素ガスの侵入を防止して内容物の保存性を向上させることが可能である。
【００４５】
図４は、外面側防水性被膜１２ｂとして単層の低密度ポリエチレン樹脂フィルムを使用し、内面側防水性被膜１２ａとして多層構造のガスバリア性フィルムを使用すると共に、内面側防水性テープ１３ａも多層構造のガスバリア性フィルムから構成された例を示している。
【００４６】
すなわち、この例で使用した胴部材１は、図４（ａ）に示すように、紙基材１１の外面側に低密度ポリエチレン樹脂フィルムが積層されており、内面側には多層構造の防水性被膜１２ａが積層されている。内面側防水性被膜１２ａは、紙基材１１側から順に、低密度ポリエチレン樹脂フィルム１２ａ１、ポリエチレンテレフタレートフィルムを蒸着基材として酸化珪素の蒸着膜を形成したガスバリア性フィルム１２ａ２、低密度ポリエチレン樹脂フィルム１２ａ３を積層したものである。
【００４７】
また、外面側透明テープ１３ｂは単層の低密度ポリエチレン樹脂フィルムから構成されており、内面側外面側透明テープ１３ａは低密度ポリエチレン樹脂フィルム１３１、ポリエチレンテレフタレートフィルムを蒸着基材として酸化珪素の蒸着膜を形成したガスバリア性フィルム１３２、低密度ポリエチレン樹脂フィルム１３２をこの順に積層した層構成を有している（図４（ｂ）参照）。
【００４８】
そして、これら胴部材１と防水性テープ１３ａ，１３ｂとを使用して形成した接合構造を図４（ｃ）に示す。この図から分かるように、ガスバリア性フィルム１２ａ２及びガスバリア性フィルム１３２を有する内面側防水性被膜１２ａと防水性透明テープ１３ａとが容器内面側に配置されているから、単に液体内容物が透過しないだけでなく、容器外部からの酸素ガスの透過も防止できる。
【００４９】
以上、円筒状紙製容器及びカップ状紙製容器とチューブ状紙製容器を例として説明したが、これに限らず、本発明に係る紙製容器がゲーベルトップ型紙製容器やフラットトップ型紙製容器等であってもよいことも明らかである。
【符号の説明】
【００５０】
１      胴部材
１Ｃ    胴部材の端部
１１    紙基材
１２ａ  内面側防水性被膜
１２ｂ  外面側防水性被膜
１３    透明テープ
１３ａ  内面側透明テープ
１３ｂ  外面側透明テープ
２      円筒状紙製容器
２１    円筒状紙製容器胴部
３      カップ状紙製容器
３１    カップ状紙製容器胴部
４      チューブ状紙製容器
４１    チューブ状紙製容器胴部
ｄ      間隙
【図１】
2015166254.tif 000003
【図２】
2015166254.tif 000004
【図３】
2015166254.tif 000005
【図４】
2015166254.tif 000006
【図５】
2015166254.tif 000007
【図６】
2015166254.tif 000008
【図７】
2015166254.tif 000009
【図８】
2015166254.tif 000010
【図９】
2015166254.tif 000011
【図１０】
2015166254.tif 000012
【図１１】
2015166254.tif 000013
【図１２】
2015166254.tif 000014